(57)【要約】【課題】建物において階段を好適に設置する。【解決手段】建物１０には階段１６が設けられており、この階段１６は、複数の階段ユニット３５を有している。階段ユニット３５には、最下段の踏み板１７を有する第１階段ユニット３５ａと、階段１６の昇降方向において第１階段ユニット３５ａの上方位置に設けられた第２階段ユニット３５ｂとが含まれている。これら階段ユニット３５ａ，３５ｂは、複数の踏み板１７とこれら踏み板１７を支持する直側板部とを有しており、直側板部は、壁部に対して固定されている。壁部には、壁厚み方向に突出した上側突出部材が取り付けられており、直側板部は、上側突出部材に引っ掛けられた状態になっている。直側板部においては、下側傾斜端部が上方に向けて凹むことで引っ掛け部が形成されており、その引っ掛け部が上側突出部材に引っ掛けられている。【選択図】      図１
2015190213.tif 000002
【特許請求の範囲】
【請求項１】
複数の踏み板及びこれら踏み板を支持する側板部を有する階段が設けられ、前記側板部が壁部の壁面に重ねられた状態で該壁部に固定された建物であって、
前記壁部には、当該壁部の壁厚み方向において前記階段側に向けて突出した突出部材が取り付けられており、
前記側板部は、前記突出部材に上から引っ掛けることが可能な引っ掛け部を有しており、
前記引っ掛け部は、前記側板部において前記階段の昇降方向に斜めに延びる下側傾斜端部が上方に向けて凹むことで形成されていることを特徴とする建物。
【請求項２】
前記突出部材は、前記下側傾斜端部の下面に沿って延びる延長線から階段奥側に突出していないことを特徴とする請求項１に記載の建物。
【請求項３】
前記突出部材は、前記壁厚み方向において前記側板部より突出していないことを特徴とする請求項１又は２に記載の建物。
【請求項４】
前記側板部は、当該側板部の上端部から前記下側傾斜端部に向けて下方に延びている側端部を有しており、
前記引っ掛け部の下面は、前記側端部から階段手前側に向けて延びていることを特徴とする請求項１乃至３のいずれか１項に記載の建物。
【請求項５】
前記突出部材を上側突出部材として、前記昇降方向において該上側突出部材の下側には、前記壁厚み方向において前記階段側に向けて突出した下側突出部材が設けられており、
前記下側突出部材の上面には、前記側板部の下端部が載せられていることを特徴とする請求項４に記載の建物。
【請求項６】
前記側板部は、前記昇降方向に複数並べて設けられており、
前記昇降方向に隣り合う前記側板部は、上下方向に互いに離間していることを特徴とする請求項１乃至５のいずれか１項に記載の建物。
【請求項７】
前記複数の踏み板及び前記側板部を有する階段ユニットが、前記昇降方向に沿って複数並べて設けられており、
前記昇降方向に隣り合う前記階段ユニットのうち、下側に配置された下側階段ユニットにおいては、当該階段ユニットでの最上位の前記踏み板が前記側板部の上端部の上に載せられており、上側に配置された上側階段ユニットにおいては、前記側板部が前記下側階段ユニットの最上位の前記踏み板の上端部より下方に延出していないことを特徴とする請求項１乃至６のいずれか１項に記載の建物。
【請求項８】
前記階段ユニットにおいて、前記引っ掛け部の下面は、前記昇降方向に隣り合う前記踏み板の間の高さ位置において、これら踏み板のうち上段の踏み板の下方位置に配置されており、前記上段の踏み板は、当該階段ユニットの最上位の踏み板であることを特徴とする請求項７に記載の建物。
【請求項９】
前記階段は、昇降方向が真っ直ぐに延びている直階段部と、昇降方向が曲がっている廻り階段部とを有しており、
前記複数の踏み板は、前記側板部により支持された状態で前記直階段部に配置されていることを特徴とする請求項１乃至８のいずれか１項に記載の建物。
【発明の詳細な説明】
【技術分野】
【０００１】
本発明は、階段を備える建物に関するものである。
【背景技術】
【０００２】
住宅等の建物に設置された階段が側板を有している場合、側板が壁部の壁面に重ねられた状態でその壁部に固定されていることがある。例えば、固定具としてのビスが側板を貫通して壁部に打ち込まれることで、側板が壁部に固定されている（例えば特許文献１参照）。
【先行技術文献】
【特許文献】
【０００３】
【特許文献１】特開２０１１−１４０７６７号公報
【発明の概要】
【発明が解決しようとする課題】
【０００４】
ここで、側板が壁部の壁面に対して固定された構成では、作業者は、側板を固定位置に位置合わせした後、その側板を位置がずれないように手で支えながらビス打ち作業を行うことになる。しかしながら、側板の位置合わせの精度が低下することや、側板を支えながらではその側板を固定する作業の困難性が高くなることなどが懸念される。
【０００５】
本発明は、上記事情に鑑みてなされたものであり、建物において階段を好適に設置することを主たる目的とするものである。
【課題を解決するための手段】
【０００６】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００７】
第１の発明の建物は、複数の踏み板（踏み板１７）及びこれら踏み板を支持する側板部（直側板部４１、廻り側板部４２）を有する階段（階段１６）が設けられ、前記側板部が壁部（外側壁部３１、内側壁部３２）の壁面に重ねられた状態で該壁部に固定された建物（建物１０）であって、前記壁部には、当該壁部の壁厚み方向において前記階段側に向けて突出した突出部材（上側突出部材５１）が取り付けられており、前記側板部は、前記突出部材に上から引っ掛けることが可能な引っ掛け部（引っ掛け部５３）を有しており、前記引っ掛け部は、前記側板部において前記階段の昇降方向に斜めに延びる下側傾斜端部（下側傾斜端部４１ｃ）が上方に向けて凹むことで形成されていることを特徴とする。
【０００８】
第１の発明によれば、側板部の引っ掛け部を突出部材に載せられた状態で、側板部を階段の奥行き方向や上下方向に移動させて位置の微調整を行うことが可能になるため、側板部の位置合わせ作業を容易化した上で、位置合わせの精度を高めることができる。しかも、単に側板部を引っ掛け部に引っ掛けるという作業を行うことが、上下方向について側板部の高さ位置を設定したことになる場合もあるため、側板部を位置保持しながら行うその側板部の固定作業を容易化できる。以上のように、本発明によれば、階段を好適に設置することができる。
【０００９】
第２の発明では、第１の発明において、前記突出部材は、前記下側傾斜端部の下面に沿って延びる延長線から階段奥側に突出していない。
【００１０】
第２の発明によれば、側板部の傾斜方向に直交する方向において、突出部材が側板部の設置領域内に配置されているため、階段下空間に収納庫などの非居室空間を構築する際に突出部材が支障になるということを回避できる。
【００１１】
第３の発明では、第１又は第２の発明において、前記突出部材は、前記壁厚み方向において前記側板部より突出していない。
【００１２】
第３の発明によれば、壁部を基準として突出部材が側板部より突出していないため、側板部をボルト等の固定具を用いて壁部に固定する際に突出部材が支障になりにくい構成を実現できる。また、階段下空間に収納庫などの非居室空間を構築する際に、突出部材が支障になるということを回避できる。
【００１３】
第４の発明では、第１乃至第２のいずれかの発明において、前記側板部は、当該側板部の上端部から前記下側傾斜端部に向けて下方に延びている側端部（側端部４１ａ）を有しており、前記引っ掛け部の下面（下面５３ａ）は、前記側端部から階段手前側に向けて延びている。
【００１４】
第４の発明によれば、側板部において下側傾斜端部の上端部に引っ掛け部が形成されているため、側板部の上部が引っ掛け部に引っ掛けられた状態になる。このため、側板部の中間部や下端部を突出部材に引っ掛けた場合に比べて、作業者は側板部からの荷重がかかりにくい状態でその側板部の位置合わせ作業を行うことができる。この場合、側板部を壁部に固定する際の作業負担が低減されることになる。
【００１５】
第５の発明では、第４の発明において、前記突出部材を上側突出部材（上側突出部材５１）として、前記昇降方向において該上側突出部材の下側には、前記壁厚み方向において前記階段側に向けて突出した下側突出部材（下側突出部材５２）が設けられており、前記下側突出部材の上面には、前記側板部の下端部が載せられている。
【００１６】
第５の発明によれば、側板部について、その上下両端部を各突出部材に載せた状態で位置の微調整を行うことが可能になるため、側板部の位置合わせ作業を更に容易化できる。しかも、側板部の上下両端部を各突出部材に載せることが側板部の傾斜角度を設定することにもなるため、側板部の傾斜角度を階段の昇降方向に合わせる作業を容易化できる。
【００１７】
第６の発明では、第１乃至第５のいずれかの発明において、前記側板部は、前記昇降方向に複数並べて設けられており、前記昇降方向に隣り合う前記側板部は、上下方向に互いに離間している。
【００１８】
第６の発明によれば、階段の構築に際して、昇降方向において隣り合う側板部のうち一方の側板部を階段奥行き方向に移動させる場合に、他方の側板部に接触して移動が制限されるということを回避できる。したがって、側板部の位置合わせを適正に行うことができる。
【００１９】
第７の発明では、第１乃至第６のいずれかの発明において、前記複数の踏み板及び前記側板部を有する階段ユニット（階段ユニット３５）が、前記昇降方向に沿って複数並べて設けられており、前記昇降方向に隣り合う前記階段ユニットのうち、下側に配置された下側階段ユニット（第１階段ユニット３５ａ）においては、当該階段ユニットでの最上位の前記踏み板が前記側板部の上端部の上に載せられており、上側に配置された上側階段ユニット（第２階段ユニット３５ｂ）においては、前記側板部が前記下側階段ユニットの最上位の前記踏み板の上端部より下方に延出していない。
【００２０】
複数の階段ユニットにより階段が構築される構成では、階段ユニットを工場で製造しておくことにより工業化を図ることができる一方で、建築現場では側板部を複数の踏み板ごと壁部に取り付けることになるため、側板部の取り付けに際して作業負担が大きくなることが懸念される。これに対して、第７の発明が第１の発明に適用されていることにより、側板部を複数の踏み板ごと壁部に取り付ける場合でも、側板部の取り付けに際して作業負担を低減することができる。
【００２１】
しかも、第７の発明によれば、上側階段ユニットと下側階段ユニットとでは、それぞれの側板部が上下に離間しているため、これら階段ユニットのうち一方を他方に対して相対的に階段奥行き方向に移動させる場合に、それぞれの側板部が互いに干渉するということを回避できる。これにより、複数の階段ユニットのそれぞれについて、位置合わせを適正に行うことができる。
【００２２】
第８の発明では、第７の発明において、前記階段ユニットにおいて、前記引っ掛け部の下面は、前記昇降方向に隣り合う前記踏み板の間の高さ位置において、これら踏み板のうち上段の踏み板の下方位置に配置されており、前記上段の踏み板は、当該階段ユニットの最上位の踏み板である。
【００２３】
第８の発明によれば、階段ユニットにおいては、引っ掛け部が最上位の踏み板の直下に配置されているため、作業者は、この階段ユニットでの最上位の踏み板の高さ位置と、引っ掛け部が突出部材に引っ掛かっている部分という２箇所を同時に視認することが容易になる。したがって、階段ユニットを設置する際に最上位の踏み板の高さ位置を基準とすることで、階段ユニットの位置合わせの精度を高めることができる。
【００２４】
第９の発明では、第１乃至第８のいずれかの発明において、前記階段は、昇降方向が真っ直ぐに延びている直階段部（直階段部１６ａ）と、昇降方向が曲がっている廻り階段部（廻り階段部１６ｂ）とを有しており、前記複数の踏み板は、前記側板部により支持された状態で前記直階段部に配置されている。
【００２５】
直階段部においては、側板部を階段の昇降方向に沿って延びた長板状にせざるを得ないため、第９の発明を第１の発明に適用し、側板部に引っ掛け部が形成されていることで、壁部に対する側板部の取り付け作業を容易化できる。
【図面の簡単な説明】
【００２６】
【図１】建物の概略図
【図２】建物ユニットの構成を示す斜視図
【図３】階段の構成を示す図
【図４】階段の縦断面図
【図５】階段の最下段の構成を示す図
【図６】階段の最上段の構成を示す図
【図７】別の階段の最上段の構成を示す図
【発明を実施するための形態】
【００２７】
以下、本発明を具体化した一実施形態について図面を参照しつつ説明する。本実施形態では、本発明の階段構造を、鉄骨ラーメン構造を有する二階建てユニット式建物において具体化している。まず、ユニット式建物について、図１、図２を参照しつつ説明する。図１は建物１０の概略図、図２は建物ユニット２０の構成を示す斜視図である。
【００２８】
図１に示すように、住宅等の建物１０は、基礎１１の上に設けられた一階部分１２と、一階部分１２の上に設けられた二階部分１３とを有している。一階部分１２が下階部に相当し、二階部分１３が上階部に相当し、これら一階部分１２と二階部分１３とは上下に隣り合っている。一階部分１２においては床面が一階床部１２ａにより形成され、二階部分１３においては床面が二階床部１３ａにより形成されている。
【００２９】
建物１０は、一階部分１２と二階部分１３とに跨って設けられた吹き抜け空間１５と、この吹き抜け空間１５に設けられた階段１６とを有している。階段１６は、複数の踏み板１７と、複数の蹴込み板１８とを有しており、一階部分１２と二階部分１３との行き来を可能にしている。複数の踏み板１７には、二階床部１３ａに対して固定された上框１７ａが含まれている。上框１７ａは最上段の踏み板１７であり、上框１７ａの上面は、二階床部１３ａの床面と同一平面を形成している。なお、二階部分１３においては、二階床部１３ａが設置されていない非設置部分に吹き抜け空間１５が配置されている。
【００３０】
建物１０は、複数の建物ユニット２０が組み合わされることで構築されており、一階部分１２及び二階部分１３は、いずれも複数の建物ユニット２０を有している。各建物ユニット２０は、全体として直方体状に形成されている。
【００３１】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（ユニット躯体）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３２】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３３】
次に、階段１６について図１、図３、図４を参照しつつ説明する。図３は階段１６の構成を示す図、図４は階段１６の縦断面図である。なお、図３においては、（ａ）に階段１６の平面図を示し、（ｂ）に階段１６の分解平面図を示す。図４においては、（ａ）に図３（ａ）のＡ−Ａ線断面図を示し、（ｂ）に図３（ａ）のＢ−Ｂ線断面図を示す。
【００３４】
図３（ａ）に示すように、階段１６は、昇降方向が真っ直ぐに延びている直階段部１６ａと、昇降方向が曲がっている廻り階段部１６ｂとを有しており、平面視でＪ字状の廻り階段とされている。この場合、直階段部１６ａは、一階床部１２ａから昇降方向に沿って上方に向けて延び、廻り階段部１６ｂは、二階床部１３ａから昇降方向に沿って下方に向けて延びており、一階床部１２ａと二階床部１３ａとの中間位置で直階段部１６ａと廻り階段部１６ｂとが接続されている。階段１６においては、最下段の踏み板１７ｂが直階段部１６ａに含まれており、上框１７ａが廻り階段部１６ｂに含まれている。
【００３５】
建物１０は、階段１６の昇降方向に沿って延び壁部３１，３２を有している。壁部３１、３２は、一階床部１２ａから上方に向けて延びており、外壁部や間仕切壁部を構成している。壁部３１，３２は、階段１６を挟んで互いに対向しており、階段１６の各段は、これら壁部３１，３２に掛け渡された状態になっている。壁部３１，３２については、廻り階段部１６ｂの外周側に外側壁部３１が配置されており、廻り階段部１６ｂの内周側に内側壁部３２が配置されている。
【００３６】
図１、図３（ｂ）に示すように、階段１６は複数の階段ユニット３５を有している。これら階段ユニット３５は、いずれも踏み板１７及び蹴込み板１８を複数ずつ有しており、階段１６の昇降方向に沿って並べられている。複数の階段ユニット３５には、最下段の踏み板１７ｂを有する第１階段ユニット３５ａと、昇降方向において第１階段ユニット３５ａの上方位置に設けられた第２階段ユニット３５ｂとが含まれており、これら階段ユニット３５ａ，３５ｂは昇降方向において隣り合っている。なお、第１階段ユニット３５ａが下側階段ユニットに相当し、第２階段ユニット３５ｂが上側階段ユニットに相当する。
【００３７】
階段１６は、複数の階段ユニット３５に加えて、上框１７ａを含んで構成された上框ユニット３７を有している。上框ユニット３７は、上框１７ａに加えて、その上框１７ａから下方に向けて延びた蹴込み板１８ａを有しており、階段１６の最上段を形成している。複数の階段ユニット３５のうち、最上位のものが第３階段ユニット３５ｃとされており、この第３階段ユニット３５ｃは、昇降方向において上框ユニット３７に隣り合っている。なお、上框ユニット３７が上框部材に相当する。
【００３８】
階段１６においては、第１階段ユニット３５ａ及び第２階段ユニット３５ｂが直階段部１６ａに含まれており、第３階段ユニット３５ｃ及び上框ユニット３７が廻り階段部１６ｂに含まれている。階段１６において、複数の蹴込み板１８には、最下段の踏み板１７ｂから下方に向けて延びた蹴込み板１８ｂが含まれているが、この蹴込み板１８ｂは、最下段の踏み板１７ｂとは異なり、第１階段ユニット３５ａに含まれておらず、第１階段ユニット３５ａに取り付けられたものである。
【００３９】
階段１６は、複数の建物ユニット２０に掛け渡された状態で設けられている。この場合、第２階段ユニット３５ｂが、一階部分１２において横並びに隣り合う建物ユニット２０の境界部（ドッキングラインＤＬ）を左右に跨ぐ位置に配置され、第３階段ユニット３５ｃが、上下に隣り合う各階の建物ユニット２０の境界部（スタッキングラインＳＬ）を上下に跨ぐ位置に配置されている。第２階段ユニット３５ｂは、１つの踏み板１７がドッキングラインＤＬに重なる位置に配置され、第３階段ユニット３５ｃは、１つの蹴込み板１８がスタッキングラインＳＬに重なる位置に配置されている。
【００４０】
図４（ａ），（ｂ）に示すように、階段ユニット３５は、踏み板１７及び蹴込み板１８に加えて、踏み板１７を支持する側桁等の側板部４１，４２を有している。側板部４１，４２は、踏み板１７を挟んで一対設けられており、この一対の側板部４１，４２には、踏み板１７の端部がそれぞれ固定されている。側板部４１，４２は、ささら桁のように階段状に形成されていることで、踏み板１７が載せられた載置面を複数有している。踏み板１７は、側板部４１，４２の上端部にも載せられており、この場合、側板部４１，４２の上端面が載置面とされている。
【００４１】
側板部４１，４２は、壁部３１，３２の壁面に重ねられた状態でその壁部３１，３２に対して固定されている。ここで、壁部３１，３２は、ユニット躯体等の建物躯体に対して固定された壁下地と、壁下地に取り付けられた一対の壁面材と、これら壁面材の間において壁下地に取り付けられた階段下地とをそれぞれ有している。壁下地は、上下一対のランナと、これらランナに掛け渡された複数のスタッドとを有しており、階段下地は、隣り合うスタッドに掛け渡された状態でこれらスタッドに固定されている。階段下地は、合板や長尺状の木材により形成されたバッキング材であり、一対の壁面材のうち階段１６側の壁面材に重ねた状態で設けられている。この場合、側板部４１，４２は、ボルト等が側板部４１，４２及び壁面材を貫通して階段下地に打ち込まれていることで、壁部３１，３２に対して固定されている。
【００４２】
第１階段ユニット３５ａ及び第２階段ユニット３５ｂは、側板部４１，４２のうち、直階段部１６ａに配置された直側板部４１を有しており、第３階段ユニット３５ｃは、廻り階段部１６ｂに配置された廻り側板部４２を有している。廻り側板部４２は、廻り階段部１６ｂの奥行き方向（踏み板１７の奥行き方向）に延びた形状になっている一方で、直側板部４１は、直階段部１６ａの昇降方向に沿って延びた形状になっている。
【００４３】
直側板部４１は、上端部から下方に向けて延びた側端部４１ａと、奥行き方向に延びる下端部４１ｂと、昇降方向に沿って延びた下側傾斜端部４１ｃとを有している。側端部４１ａは、直側板部４１が有する一対の側端部のうち、階段奥側に配置された方の側端部であり、下端部４１ｂは、階段手前側に配置された方の側端部から階段奥側に向けて延びている。下側傾斜端部４１ｃは、下端部４１ｂの階段奥側の端部から側端部４１ａの下端に向けて斜め上方に延びている。
【００４４】
壁部３１，３２には、壁厚み方向において階段下側に向けて突出した突出部材５１，５２が取り付けられている。突出部材５１，５２は、第１階段ユニット３５ａや第２階段ユニット３５ｂを壁部３１，３２に固定する際に、これら階段ユニット３５ａ，３５ｂの各直側板部４１が仮置きされる仮置き部になっている。このため、階段ユニット３５ａ，３５ｂが壁部３１，３２に固定された後には、直側板部４１が突出部材５１、５２の上に載っていてもよく、直側板部４１が突出部材５１，５２から上方に離間した位置に配置されていてもよい。本実施形態では、直側板部４１が突出部材５１，５２の上に載っているものとして説明を行う。
【００４５】
突出部材５１，５２は、木材等により形成された直方体状の部材であり、一側面が壁部３１，３２の壁面に重ねられた状態で、ボルト等が突出部材５１，５２を貫通して階段下地に打ち込まれていることで、壁部３１，３２に対して固定されている。つまり、突出部材５１，５２は、直側板部４１と同様に壁部３１，３２の階段下地に固定されている。壁厚み方向において、突出部材５１，５２の厚み寸法（壁部３１，３２からの突出部材５１，５２の突出寸法）は、直側板部４１の厚み寸法（壁部３１，３２からの直側板部４１の突出寸法）より小さくされている。これにより、突出部材５１，５２は、直側板部４１より階段下側に突出しないようになっている。突出部材５１，５２は、水平方向に延びる上面を有しており、この上面に直側板部４１が載せられている。
【００４６】
なお、図４（ａ），（ｂ）においては、側板部４１，４２及び突出部材５１，５２について、ボルト等による固定位置を黒丸にて図示している。
【００４７】
突出部材５１，５２のうち上側突出部材５１には、直側板部４１の上部が載せられており、上側突出部材５１より低い位置に配置された下側突出部材５２には、直側板部４１の下部が載せられている。第２階段ユニット３５ｂに対しては、上側突出部材５１及び下側突出部材５２の両方が設けられており、第２階段ユニット３５ｂは、これら突出部材５１，５２の両方に載せられている。一方、第１階段ユニット３５ａに対しては、下側突出部材５２が設けられておらず、第１階段ユニット３５ａは、上側突出部材５１に載せられている。なお、第１階段ユニット３５ａが載せられた上側突出部材５１は、第２階段ユニット３５ｂが載せられた下側突出部材５２より低い位置に配置されている。また、突出部材５１，５２は、直階段部１６ａの昇降方向に沿って並べられている。
【００４８】
直側板部４１は、上側突出部材５１に上方から引っ掛かっている引っ掛け部５３を有している。引っ掛け部５３は、直側板部４１の下側傾斜端部４１ｃが階段手前側（昇降方向に直交する方向）に向けて凹むことで形成されており、この凹みを凹部５４と称した場合、凹部５４は略三角形状になっている。この場合、凹部５４の内周面のうち天井面が、引っ掛け部５３の下面５３ａになっており、この下面５３ａは、直側板部４１の側端部４１ａから階段手前側に向けて水平方向に延びている。直側板部４１においては、凹部５４の上方部分が引っ掛け部５３になっており、下面５３ａが上側突出部材５１に引っ掛けられる引っ掛け面に相当する。
【００４９】
階段ユニット３５ａ，３５ｂにおいては、それぞれの最上位の踏み板１７と上から二番目の踏み板１７との間の高さ位置に引っ掛け部５３の下面５３ａが配置されている。この場合、凹部５４の内周面のうち側面は、引っ掛け部５３の下面５３ａから下方に向けて鉛直方向に延びていることで、上から二番目の踏み板１７を上下に跨いだ状態になっている。この側面の下端は、直側板部４１の下側傾斜端部４１ｃの上端に接続されており、この接続部分は、上から二段目の踏み板１７と三段目の踏み板１７の間の高さ位置に配置されている。なお、凹部５４は、下側傾斜端部４１ｃより高い位置に配置されていることになる。
【００５０】
突出部材５１，５２は、直階段部１６ａの昇降方向に直交する方向において、直側板部４１の下側傾斜端部４１ｃよりも階段奥側に突出しない状態で設けられている。この場合、下側傾斜端部４１ｃの端面の延長線（図４（ａ）の仮想線）を想定すると、この延長線よりも高い位置（階段手前側）に突出部材５１，５２が配置されていることになる。これにより、上側突出部材５１は、凹部５４内に収納されたような状態になっている。
【００５１】
第２階段ユニット３５ｂの直側板部４１は、第１階段ユニット３５ａの直側板部４１から上方及び階段奥側の両方に離間した位置に配置されている。このため、これら階段ユニット３５ａ，３５ｂの各直側板部４１のうち一方を設置した後、他方をその引っ掛け部５３を上側突出部材５１に引っ掛けた状態で階段奥行き方向に移動させても、直側板部４１同士が干渉してしまうということを回避できる。なお、第２階段ユニット３５ｂの直側板部４１の下端部は、第１階段ユニット３５ａの最上位の踏み板１７の上面と同じ高さ位置又はそれより高い位置に配置されている。
【００５２】
第２階段ユニット３５ｂにおいては、直側板部４１の下端部４１ｂが下側突出部材５２の上に載せられている。その一方で、第１階段ユニット３５ａにおいては、直側板部４１の下端部４１ｂが一階床部１２ａの上に載せられている。なお、第１階段ユニット３５ａの直側板部４１にとっては、上側突出部材５１及び一階床部１２ａが仮置き部になっており、この直側板部４１は、一階床部１２ａから上方に離間した位置に配置されていてもよいが、本実施形態では、直側板部４１が一階床部１２ａの上に載っているものとして説明を行う。
【００５３】
階段１６の下方には、階段下空間５７が形成されている。階段１６が吹き抜け空間１５に設置されているため、階段下空間５７は、吹き抜け空間１５に含まれていることになる。階段下空間５７には、倉庫やトイレ等の非居室空間が設けられている。非居住空間は、天井面材を含んで構成された天井部を有しており、壁部３１，３２には、天井面材を支持する野縁５８が取り付けられている。野縁５８は、木材等により形成された長尺部材であり、壁幅方向において壁部３１，３２の壁面に沿って延びた状態で、壁部３１，３２に固定されている。
【００５４】
野縁５８は、天井面材を支持する機能に加えて、第３階段ユニット３５ｃを壁部３１，３２に固定する際に、この第３階段ユニット３５ｃの廻り側板部４２が仮置きされる仮置き部としての機能を有している。ここで、第１階段ユニット３５ａ及び第３階段ユニット３５ｃの各直側板部４１についてと同じように、第３階段ユニット３５ｃの廻り側板部４２は、野縁５８の上に載っていてもよく、野縁５８から上方に離間していてもよい。本実施形態では、廻り側板部４２が野縁５８の上に載っているものとして説明を行う。
【００５５】
なお、壁部３１，３２からの野縁５８の突出寸法は、廻り側板部４２の厚み寸法以下とされており、壁厚み方向において野縁５８が廻り側板部４２より突出しないようになっている。
【００５６】
階段１６においては、蹴込み板１８が上下の踏み板１７に掛け渡された状態で設けられている。最上段と最下段との間の中間段においては、上下の踏み板１７のうち、上の踏み板１７の下面には溝部５９が形成されており、蹴込み板１８は、その上端部が溝部５９に嵌め込まれた状態で下方に向けて延びている。この場合、蹴込み板１８の上端部は溝部５９の内周面に接着剤等により接合されている。蹴込み板１８は、下の踏み板１７の階段奥側に配置されており、蹴込み板１８においては、その下端部が下の踏み板１７より下方に突出しない状態で、その板面が下の踏み板１７の奥側端面に重ねられている。この場合、ビス等が階段奥側から蹴込み板１８を貫通して踏み板１７の奥側端面に打ち込まれていることで、蹴込み板１８の下端部が下の踏み板１７に固定されている。
【００５７】
これに対して、最上段及び最下段において、上框１７ａ及び踏み板１７ｂに対する蹴込み板１８ａ，１８ｂの上端部の固定構成は、他の段（中間段）における踏み板１７に対する蹴込み板１８の上端部の固定構成と同じになっている一方で、蹴込み板１８ａ，１８ｂの下端部の固定構成が中間段とは異なっている。
【００５８】
ここでは、最上段及び最下段における蹴込み板１８ａ，１８ｂの取り付け構造について、図５、図６を参照しつつ説明する。図５は階段１６の最下段の構成を示す図、図６は階段１６の最上段の構成を示す図である。なお、図５においては、（ａ）に最下段の踏み板１７ｂ周辺の縦断面図を示し、（ｂ）に最下段の踏み板１７ｂに対する蹴込み板１８ｂの取り付け手順を説明するための図を示す。図６においては、（ａ）に上框１７ａ周辺の縦断面図を示し、（ｂ）に上框１７ａに対する蹴込み板１８ａの取り付け手順を説明するための図を示す。また、図５（ａ）、図６（ａ）においては、巾木６４を二点鎖線にて図示している。
【００５９】
図５（ａ）、図６（ａ）に示すように、一階床部１２ａ及び二階床部１３ａは床面材２９を有しており、床面材２９は、合板等の床下地面材６１と、フローリング材等の床仕上面材６２とをそれぞれ有している。床仕上面材６２は床下地面材６１の上面に重ねられている。なお、床面材２９は、床下地面材６１及び床仕上面材６２のうち少なくとも床仕上面材６２さえ有していればよい。
【００６０】
階段１６の各段においては、蹴込み板１８の裏面に重ねられた重ね部材６３が踏み板１７の下方に設けられている。重ね部材６３は、木材等により形成された直方体状の部材であり、踏み板１７の下面に対して固定されている。重ね部材６３は、蹴込み板１８の裏面のうち上部に重ねられており、階段奥側への蹴込み板１８の移動を規制している。
【００６１】
壁部３１，３２の階段側壁面には、巾木６４が取り付けられている。巾木６４は、一階床部１２ａ及び二階床部１３ａの床面に沿って延びているとともに、踏み板１７の上面及び蹴込み板１８の手前側面に沿って延びている。
【００６２】
図５（ａ）に示すように、階段１６の最下段において、蹴込み板１８ｂの奥側には、その蹴込み板１８ｂを一階床部１２ａに固定する床側下地６６が設けられている。床側下地６６は、木材等により長尺状に形成されており、一階床部１２ａに沿って蹴込み板１８ｂの幅方向に沿って延びている。床側下地６６は、重ね部材６３の下方位置に配置されており、蹴込み板１８ｂの裏面に接着剤等により接合されている。蹴込み板１８ｂは、ビス６７が床側下地６６を貫通して床面材２９に打ち込まれていることで、一階床部１２ａに対して固定されている。
【００６３】
ビス６７は、鉛直方向に対して先端が階段手前側に向くように斜め下方に打ち込まれている。床側下地６６は、ビス６７が打ち込まれた打ち込み面６６ａを有しており、打ち込み面は、ビス６７の打ち込み方向に対して直交していることで階段奥側の斜め上方を向いている。床側下地６６においては、打ち込み面６６ａの上端部から階段手前側に向けて上面が延びており、打ち込み面６６ａの下端部から側面が下方に向けて延びている。
【００６４】
床側下地６６は、階段奥側の上角部及び下角部が面取りされた形状になっており、縦断面六角形とされている。この場合、床側下地６６は、打ち込み面６６ａの下方に配置され、斜め下方を向いている下斜面６６ｂを有している。
【００６５】
最下段の蹴込み板１８ｂと床側下地６６とは、互いに接合されることでユニット化されており、このユニット化したものを蹴込みユニット６８と称する。蹴込みユニット６８は、蹴込み板１８ｂが踏み板１７ｂに対して固定されることで第１階段ユニット３５ａに取り付けられる。ここで、第１階段ユニット３５ａの直側板部４１は、床仕上面材６２の上に載せられており、この床仕上面材６２により直側板部４１の高さ位置が設定されていることになる。階段下空間５７には、床仕上面材６２が設置されていない非設置部分が形成されており、床仕上面材６２は、階段１６の手前側（例えば廊下側）から蹴込み板１８ｂの下側に入り込んだ状態になっているものの、直側板部４１の下端部４１ｂより階段奥側には延びていない。
【００６６】
図６（ａ）に示すように、二階床部１３ａは、床下地面材６１及び床仕上面材６２に加えて、床大梁２３の上に載せられた床下地としての根太７１を有しており、床下地面材６１は、根太７１を介して床大梁２３の上に載せられている。階段１６の最上段において上框１７ａは、床下地面材６１及び床仕上面材６２に横並びに配置されており、床下地面材６１と共に根太７１の上に載せられている。上框１７ａは、床下地面材６１から階段手前側に向けて突出した状態で設けられており、その突出部分に蹴込み板１８ａが取り付けられている。最上段において重ね部材６３は、根太７１と蹴込み板１８ａとの間に挟まった状態になっており、ビス等により根太７１に固定されている。
【００６７】
上框１７ａは、床下地面材６１に向けて突出した突出部７２を有しており、床仕上面材６２は、この突出部７２と床下地面材６１との境界部を跨いだ状態で設けられている。上框１７ａは、ビス等により根太７１や重ね部材６３に固定されている。このビス等は、上框１７ａにおいて突出部７２の付け根部分を貫通して根太７１及び重ね部材６３の少なくとも一方に打ち込まれている。
【００６８】
最上段の蹴込み板１８ａは、上から二段目の踏み板１７ｃ（以下、下側踏み板１７ｃという）に、固定具としてのビス７４により固定されている。蹴込み板１８ａは、下側踏み板１７ｃの階段奥側に配置されており、下側踏み板１７ｃの奥側端面に重ねられた状態になっている。蹴込み板１８ａの裏面には、板状の蹴込み下地７５が接着剤等により接合され、下側踏み板１７ｃの下面には、断面三角形の踏み下地７６が接着剤等により接合されている。蹴込み板１８ａは、ビス７４が踏み下地７６、下側踏み板１７ｃ及び蹴込み板１８ａを貫通して蹴込み下地７５に打ち込まれていることで、下側踏み板１７ｃに取り付けられている。
【００６９】
蹴込み下地７５は、合板等により形成されており、蹴込み板１８ａの裏面に重ねられている。蹴込み下地７５は、上框１７ａに固定された重ね部材６３から下方に離間した位置に設けられており、蹴込み下地７５の下端部は、蹴込み板１８ａの下端部と同じ高さ位置に配置されている。
【００７０】
蹴込み板１８ａは、下側踏み板１７ｃより下方に向けて延出した延出部分７８を有しており、下側踏み板１７ｃの下側には、この下側踏み板１７ｃと延出部分７８とにより入隅部分が形成されている。踏み下地７６は、この入隅部分に設けられており、下側踏み板１７ｃの下面及び蹴込み板１８ａの手前側面の両方に重ねられている。
【００７１】
ビス７４は、鉛直方向に対して先端が階段奥側に向くように斜め上方に打ち込まれている。踏み下地７６は、ビス７４が打ち込まれた打ち込み面７６ａを有しており、打ち込み面７６ａは、ビス７４の打ち込み方向に対して直交していることで階段手前側の斜め下方を向いている。この場合、打ち込み面７６ａは、延出部分７８と下側踏み板１７ｃとに掛け渡された状態になっている。踏み下地７６は、接着剤等により下側踏み板１７ｃの下面に接合されている一方で、ビス７４により蹴込み板１８ａに固定されている。また、この場合、ビス７４の頭部７４ａは、踏み下地７６の下側に配置されており、打ち込み面７６ａに対して下から引っ掛かった状態になっている。
【００７２】
なお、踏み下地７６が斜め下地に相当し、踏み下地７６の打ち込み面７６ａが斜め面に相当する。
【００７３】
次に、階段１６の構築手順について説明する。まず、工場において建物ユニット２０を製造する。ここでは、図１において、複数の階段ユニット３５のうち、ドッキングラインＤＬを跨ぐ第２階段ユニット３５ｂ、スタッキングラインＳＬを跨ぐ第３階段ユニット３５ｃを除く階段ユニット３５を、工場において建物ユニット２０に取り付ける。
【００７４】
第１階段ユニット３５ａが取り付けられる建物ユニット２０Ａに対しては、蹴込みユニット６８も取り付けられる。建物ユニット２０Ａにおいては、壁部３１，３２及び一階床部１２ａを構築した後、壁部３１，３２に突出部材５１，５２を取り付け、第１階段ユニット３５ａの直側板部４１の引っ掛け部５３を上側突出部材５１に引っ掛けた状態で、その直側板部４１の下端部４１ｂを一階床部１２ａの上に載置する。この状態で、上下方向や左右方向について第１階段ユニット３５ａの位置合わせを行い、直側板部４１を壁部３１，３２に対して固定する。
【００７５】
その後、蹴込みユニット６８を第１階段ユニット３５ａの踏み板１７ｂ及び一階床部１２ａに取り付ける。ここでは、図５（ｂ）に示すように、蹴込みユニット６８を蹴込み板１８ｂの下端部を階段手前側に引いた状態で傾け、その状態で、蹴込み板１８ｂの上端部を踏み板１７ｂの溝部５９に入り込む位置に配置する。そして、蹴込みユニット６８を蹴込み板１８ｂの上端部を中心に回動させるように、蹴込み板１８ｂの上端部を溝部５９内に押し込みながら、蹴込み板１８ｂの下端部を床側下地６６ごと階段奥側に向けて移動させ、蹴込み板１８ｂが重ね部材６３に重なる状態に移行させる。なお、蹴込み板１８ｂの上端部や溝部５９内には、あらかじめ接着剤等を塗布しておく。
【００７６】
この場合、床側下地６６に下斜面６６ｂが形成されているため、床側下地６６が一階床部１２ａの床面に沿って滑りやすくなっており、それによって、蹴込みユニット６８を回動させるようにして踏み板１７ｂの下方位置に配置することが容易になっている。
【００７７】
蹴込みユニット６８を踏み板１７ｂの下方位置に配置した後、階段奥側からビス６７を床側下地６６を通じて一階床部１２ａに打ち込むことで、蹴込みユニット６８を一階床部１２ａに対して固定する。
【００７８】
各建物ユニット２０を製造した後、これら建物ユニット２０をトラック等により建築現場に運搬し、その建築現場に設置する。図１に示すように、一階部分１２においては、建物ユニット２０Ａの隣に建物ユニット２０Ｂを設置し、これら建物ユニット２０Ａ，２０ＢのドッキングラインＤＬを跨ぐ位置に第２階段ユニット３５ｂを設置する。この場合、第２階段ユニット３５ｂの設置位置に合わせて、建物ユニット２０Ａ，２０Ｂには工場にて突出部材５１，５２を取り付けておき、第２階段ユニット３５ｂの直側板部４１の引っ掛け部５３を上側突出部材５１に引っ掛けた状態で、その直側板部４１の下端部を下側突出部材５２の上に載せる。この状態で、上下方向や左右方向について、第１階段ユニット３５ａに対する第２階段ユニット３５ｂの位置合わせを行い、直側板部４１を壁部３１，３２に対して固定する。
【００７９】
また、一階部分１２の建物ユニット２０Ｂの上に、二階部分１３の建物ユニット２０Ｃを設置し、これら建物ユニット２０Ｂ，２０ＣのスタッキングラインＳＬを跨ぐ位置に第３階段ユニット３５ｃを設置する。この場合、第３階段ユニット３５ｃの廻り側板部４２を野縁５８の上に載せ、この状態で、上下方向や左右方向について第３階段ユニット３５ｃの位置合わせを行い、廻り側板部４２を壁部３１，３２に対して固定する。
【００８０】
第３階段ユニット３５ｃを設置した後、上框ユニット３７を二階床部１３ａ及び下側踏み板１７ｃに取り付ける。ここで、二階床部１３ａにおいては、床仕上面材６２を設置していない非設置部分を工場にて上框１７ａの隣接位置に形成しておき、図６（ｂ）に示すように、上框ユニット３７の蹴込み板１８ａを平面視で根太７１（重ね部材６３）と下側踏み板１７ｃとの間に上方から挿し入れるようにしながら、上框１７ａを根太７１の上に載せる。
【００８１】
その後、上框１７ａを根太７１に対して固定し、床仕上面材６２を上框１７ａの突出部７２及び床下地面材６１の上に設置する。また、下側踏み板１７ｃの下側からビス７４を踏み下地７６、下側踏み板１７ｃ及び蹴込み板１８ａを貫通させて蹴込み下地７５に打ち込むことで、蹴込み板１８ａを下側踏み板１７ｃに固定する。
【００８２】
ここで、上框１７ａの下方位置においては、一階部分１２の建物ユニット２０Ｂの天井大梁２２と二階部分１３の建物ユニット２０Ｃの床大梁２３とが上下に重ねて配置されており、これら大梁２２，２３は、上框１７ａの下方位置にあることに起因して蹴込み板１８ａに接近した位置に配置されている。この場合、上框１７ａの下方位置に作業スペースを確保することができないことに起因して、階段１６の中間段のようにビス等を蹴込み板１８ａを貫通させて下側踏み板１７ｃに打ち込むことは困難であるが、下側踏み板１７ｃの下方には大梁２２，２３等の障害物が存在しないため、下側踏み板１７ｃの下方スペースを作業スペースとして利用することで、ビス７４により蹴込み板１８ａを下側踏み板１７ｃに対して容易に固定することができる。
【００８３】
以上詳述した本実施形態によれば、以下の優れた効果が得られる。
【００８４】
階段１６において、下側踏み板１７ｃを貫通して最上段の蹴込み板１８ａにビス７４が打ち込まれているため、下側踏み板１７ｃに対する蹴込み板１８ａの固定作業を、下側踏み板１７ｃの下方スペースにて行うことができる。このため、蹴込み板１８ａが二階部分１３の床大梁２３及び一階部分１２の天井大梁２２に接近した位置に配置されていても、ビス７４を用いて蹴込み板１８ａを下側踏み板１７ｃに容易に固定することができる。
【００８５】
蹴込み板１８ａの階段奥側に配置された蹴込み下地７５にビス７４が打ち込まれているため、ビス７４が蹴込み板１８ａから抜けにくい構成を実現できる。これにより、下側踏み板１７ｃに対する蹴込み板１８ａの固定状態を適正に保つことができる。
【００８６】
上框１７ａと蹴込み板１８ａとが一体化されることで上框ユニット３７が形成されているため、上框１７ａを根太７１の上に載せるという容易な作業により、上框１７ａ及び蹴込み板１８ａの両方の高さ位置を設定することができる。しかも、蹴込み板１８ａの下端部が下側踏み板１７ｃの階段奥側に配置されているため、蹴込み板１８ａが下側踏み板１７ｃの上面に引っ掛かって上框１７ａが根太７１から上方に離間してしまうということがない。したがって、上框１７ａと下側踏み板１７ｃとの上下の離間距離に合わせて蹴込み板１８ａの高さ寸法を正確に設定するという手間を省くことができる。
【００８７】
蹴込み板１８ａが下側踏み板１７ｃより下方に延びているため、蹴込み板１８ａを挟んで下側踏み板１７ｃとは反対側から、下側踏み板１７ｃに対する蹴込み板１８ａの固定作業を行う場合、仮に床大梁２３及び天井大梁２２が存在しなかったとしても、蹴込み板１８ａの裏に隠れて下側踏み板１７ｃを視認しにくい状態になることが懸念される。これに対して、下側踏み板１７ｃの下方スペースにおいて固定作業を行う場合は、ビス７４の打ち込み対象である蹴込み板１８ａ及び下側踏み板１７ｃの両方を確実に視認できるため、固定作業が容易になる。
【００８８】
ビス７４が打ち込まれている踏み下地７６の打ち込み面７６ａが、ビス７４の打ち込み方向に対して直交する方向に延びているため、この打ち込み面７６ａによりビス７４の打ち込み方向を案内することができる。したがって、作業者はビス７４の打ち込み作業を適正に行うことができる。
【００８９】
上框ユニット３７の固定対象である第３階段ユニット３５ｃがスタッキングラインＳＬを上下に跨ぐ位置に配置されるため、第３階段ユニット３５ｃの設置及びその第３階段ユニット３５ｃに対する上框ユニット３７の固定を建築現場で行わざるを得ない。このため、ビス７４が下側踏み板１７ｃの下側から打ち込まれるという構成は、下側踏み板１７ｃに対して蹴込み板１８ａを固定する際に、建築現場において床大梁２３及び天井大梁２２が支障になりにくいという点で有効である。
【００９０】
上框ユニット３７には側板部４２が含まれていないため、側板部４２を有する階段ユニット３５に比べて、上框ユニット３７を小型化できる。このため、蹴込み板１８ａを平面視で床大梁２３（二階床部１３ａの床面材２９）と下側踏み板１７ｃとの間の隙間に挿し込むという作業を、上框ユニット３７が側板部４２を有することに起因して大型化した構成に比べて、容易に行うことができる。
【００９１】
壁部３１，３２に上側突出部材５１が取り付けられているため、この上側突出部材５１に第１階段ユニット３５ａ及び第２階段ユニット３５ｂを引っ掛けることが可能になっている。このため、階段ユニット３５ａ，３５ｂを壁部３１，３２に取り付ける際に、直側板部４１の引っ掛け部５３を上側突出部材５１に引っ掛けておき、その状態で直側板部４１の位置を微調整することで、階段ユニット３５ａ，３５ｂの位置決め作業を容易化できる。
【００９２】
上側突出部材５１が直側板部４１の下側傾斜端部４１ｃの延長線から階段奥側に突出していないため、階段ユニット３５ａ，３５ｂを設置する際に上側突出部材５１が支障になることや、階段下空間５７において上側突出部材５１が邪魔になることを抑制できる。この効果は、下側突出部材５２についても同様に奏することができる。また、壁部３１，３２からの突出部材５１，５２の突出寸法が、壁部３１，３２からの直側板部４１の突出寸法以下とされているため、上記効果を高めることができる。
【００９３】
直側板部４１の上端部に引っ掛け部５３が設けられているため、階段ユニット３５ａ，３５ｂの荷重が上側突出部材５１にかかりやすくなっている。このため、作業者は、引っ掛け部５３を上側突出部材５１に引っ掛けた状態で、階段ユニット３５ａ，３５ｂの位置の微調整を行いやすくなる。しかも、直側板部４１の下端部を下側突出部材５２に載せることで、階段ユニット３５ａ，３５ｂの位置合わせ作業を更に容易化できる。
【００９４】
第１階段ユニット３５ａ及び第２階段ユニット３５ｂの各直側板部４１は、上下方向に互いに離間しているため、それぞれの直側板部４１の位置を上下左右に微調整した場合に、それら直側板部４１が互いに干渉しないようになっている。したがって、階段ユニット３５ａ，３５ｂの位置合わせを適正に行うことができる。
【００９５】
階段ユニット３５ａ，３５ｂにおいては、引っ掛け部５３が最上位の踏み板１７の直下に配置されているため、最上位の踏み板１７と引っ掛け部５３の下面５３ａ（上側突出部材５１）という２箇所を同時に視認することが容易になっている。このため、階段ユニット３５ａ，３５ｂを設置する際に最上位の踏み板１７を高さ位置の基準とすることで、階段ユニット３５ａ，３５ｂの位置合わせの制度を高めることができる。
【００９６】
［他の実施形態］
本発明は上記実施形態の記載内容に限定されず、例えば次のように実施されてもよい。
【００９７】
（１）上記実施形態では、上框１７ａが床大梁２３の上に設けられていたが、上框１７ａは、床小梁２６の上に設けられていてもよい。例えば、図７（ａ）に示すように、床小梁２６の上に床下地面材６１及び上框１７ａの両方が載せられた構成とする。この構成では、床小梁２６が床下地に相当するものである。また、床大梁２３は、柱２１や天井大梁２２の上に設けられていてもよい。
【００９８】
（２）上記実施形態では、踏み下地７６が断面三角形とされていたが、踏み下地７６は、打ち込み面７６ａを有していれば断面三角形でなくてもよい。例えば、図７（ｂ）に示すように、踏み下地７６が床側下地６６と同様に断面六角形とされていてもよい。この場合、断面六角形の同一部材を踏み下地７６及び床側下地６６のいずれとしても使用することが可能になるため、コスト負担を低減できる。また、踏み下地７６においては、全体の大きさが同じであれば、角の数が多いほど打ち込み面７６ａが小さくなるため、ビス７４の打ち込み位置の精度を高めることができる。
【００９９】
また、床側下地６６が、打ち込み面６６ａを有していれば断面六角形でなくてもよい。この場合、断面三角形の同一部材を踏み下地７６及び床側下地６６のいずれとしても使用することが可能になる。
【０１００】
（３）上記実施形態では、上框ユニット３７の蹴込み板１８ａを下側踏み板１７ｃに固定するビス７４が斜め上方に向けて打ち込まれていたが、ビス７４は、鉛直方向に延びていてもよく、水平方向に延びていてもよい。例えば、蹴込み板１８ａ及び蹴込み下地７５が下側踏み板１７ｃの上側に配置されている構成では、ビス７４が下側踏み板１７ｃを貫通して蹴込み下地７５の下端面に鉛直上向きに打ち込まれていても、蹴込み板１８ａが蹴込み下地７５を介して下側踏み板１７ｃに固定されたことになる。また、下側踏み板１７ｃが、下方に向けて突出した凸部を有し、この凸部に蹴込み板１８ａが重ねられている構成では、ビス７４が凸部を貫通して蹴込み板１８ａ及び蹴込み下地７５に水平方向に打ち込まれていても、蹴込み板１８ａが下側踏み板１７ｃの凸部に対して固定されたことになる。
【０１０１】
（４）上記実施形態では、上框ユニット３７に蹴込み下地７５が含まれていたが、蹴込み板１８ａが十分に高い強度を有していれば、蹴込み下地７５は設けられていなくてもよい。例えば、蹴込み板１８ａが合板等のバッキング材により形成されている構成では、ビス７４が蹴込み下地７５に打ち込まれていなくても、そのビス７４が蹴込み板１８ａから抜けにくい構成を実現できる。
【０１０２】
（５）上記実施形態では、上框ユニット３７の蹴込み板１８ａを下側踏み板１７ｃに固定する固定具がビス７４とされていたが、この固定具は、釘やステープル等であってもよい。
【０１０３】
（６）上記実施形態では、階段ユニット３５ａ，３５ｂの直側板部４１の上端部に引っ掛け部５３が設けられていたが、引っ掛け部５３は、直階段部１６ａの昇降方向において直側板部４１の中間部分や下端部に設けられていてもよい。つまり、凹部５４が直側板部４１の中間部分や下端部に設けられていてもよい。この場合、引っ掛け部５３の下面５３ａは、直側板部４１の側端部４１ａから階段手前側に向けて延びているのではなく、下側傾斜端部４１ｃの中間位置から階段手前側に向けて延びていることになる。
【０１０４】
（７）上記実施形態では、上側突出部材５１が、直側板部４１の下側傾斜端部４１ｃの延長線から下方に突出した位置に設けられていたが、上側突出部材５１は、下側傾斜端部４１ｃの延長線から下方や側方に突出していてもよい。
【０１０５】
（８）上記実施形態では、壁部３１，３２からの突出部材５１，５２の突出寸法が、直側板部４１の厚み寸法以下とされていたが、この突出寸法は、直側板部４１の厚み寸法より大きくされていてもよい。つまり、突出部材５１，５２が直側板部４１よりも壁部３１，３２から離間する側に突出していてもよい。
【０１０６】
（９）上記実施形態では、凹部５４が水平方向及び下方の両方に向けて開放されていたが、凹部５４は、水平方向及び下方のうち一方にだけ向けて開放されていてもよい。また、凹部５４は、直側板部４１を厚み方向に貫通していなくてもよく、少なくとも壁部３１，３２の壁面側に向けて開放されていればよい。いずれの場合でも、上側突出部材５１が凹部５４内に入り込んだ状態になることで、引っ掛け部５３が上側突出部材５１に上から引っ掛かることになる。
【０１０７】
（１０）上記実施形態では、直階段部１６ａの階段ユニット３５ａ，３５ｂが下側傾斜端部４１ｃを有していたが、廻り階段部１６ｂの第３階段ユニット３５ｃが下側傾斜端部４１ｃを有していてもよい。つまり、第３階段ユニット３５ｃの廻り側板部４２に引っ掛け部５３が設けられていてもよい。
【０１０８】
（１１）上記実施形態では、直階段部１６ａが一階床部１２ａから上方に向けて延び、廻り階段部１６ｂが二階床部１３ａから下方に向けて延びていたが、直階段部１６ａが二階床部１３ａから下方に向けて延びていてもよく、廻り階段部１６ｂが一階床部１２ａから上方に向けて延びていてもよい。つまり、上框１７ａが直階段部１６ａに含まれていてもよく、最下段の蹴込み板１８ｂが廻り階段部１６ｂに含まれていてもよい。
【符号の説明】
【０１０９】
１０…建物、１６…階段、１６ａ…直階段部、１６ｂ…廻り階段部、１７…踏み板、３１…壁部としての外側壁部、３２…壁部としての内側壁部、３５…階段ユニット、３５ａ…下側階段ユニットとしての第１階段ユニット、３５ｂ…上側階段ユニットとしての第２階段ユニット、４１…側板部としての直側板部、４１ａ…側端部、４１ｃ…下側傾斜端部、４２…側板部としての廻り側板部、５１…突出部材としての上側突出部材、５２…下側突出部材。
【図１】
2015190213.tif 000003
【図２】
2015190213.tif 000004
【図３】
2015190213.tif 000005
【図４】
2015190213.tif 000006
【図５】
2015190213.tif 000007
【図６】
2015190213.tif 000008
【図７】
2015190213.tif 000009